(57)【特許請求の範囲】
【請求項１】
車両側との無線通信により、少なくとも前記車両のドアロックの施錠／開錠に係る制御を実施させる携帯型無線キーであって、無線キー本体部内には、前記ドアロックの施錠／開錠を行うメカニカルキーとしてのエマージェンシーキーが挿入されて保持した形で収容されている携帯型無線キーにおいて、
前記無線キー本体部は、その外周側面をなす所定位置の操作面に対する１回のプッシュ操作により該無線キー本体部から外向きに突出する突出動作が生じる突出動作部を有し、当該突出動作によって、前記無線キー本体部内に前記エマージェンシーキーを収容した状態のまま、当該無線キー本体部内に収容されている前記突出動作部の引っ掛け部が外部に露出して使用可能となるとともに、
前記突出動作部は、前記無線キー本体部の外周側面上において、前記操作面が前記エマージェンシーキーのキープレート部又はそれよりも細い幅の部材によってのみプッシュ操作が可能となる形状にて露出するとともに、非突出状態における残余の露出面が、当該操作面と同幅をなす形で露出していることを特徴とする携帯型無線キー。
【請求項２】
車両側との無線通信により、少なくとも前記車両のドアロックの施錠／開錠に係る制御を実施させる携帯型無線キーであって、無線キー本体部内には、前記ドアロックの施錠／開錠を行うメカニカルキーとしてのエマージェンシーキーが挿入されて保持した形で収容されている携帯型無線キーにおいて、
前記無線キー本体部は、その外周側面をなす所定位置の操作面に対する１回のプッシュ操作により該無線キー本体部から外向きに突出する突出動作が生じる、前記エマージェンシーキーとは別体の突出動作部を有し、当該突出動作によって、前記無線キー本体部内に前記エマージェンシーキーを収容した状態のまま、当該無線キー本体部内に収容されている前記突出動作部の引っ掛け部が外部に露出して使用可能となるとともに、該引っ掛け部は前記エマージェンシーキーを取り出した後も外部に露出させて使用可能であることを特徴とする携帯型無線キー。
【請求項３】
前記無線キー本体部には、収容されている前記エマージェンシーキーを取り出し不能にロックするロック機構と、該ロック機構をロック解除するロック解除操作部とが設けられ、
前記無線キー本体部の外周側面をなす所定位置に対する１回のプッシュ操作によって、前記突出動作部の引っ掛け部を外部に露出させる前記突出動作が可能となると共に、前記ロック機構によるロックが解除されて前記エマージェンシーキーが取り出し可能となる請求項１又は請求項２に記載の携帯型無線キー。
【請求項４】
前記エマージェンシーキーには係合受け部が設けられ、
前記無線キー本体部の突出動作部には係合受け部が設けられ、
前記無線キー本体部の前記ロック機構には、該無線キー本体部内に収容された状態の前記エマージェンシーキーの係合受け部と係合状態となって該エマージェンシーキーを取り出し不能とする第一係合部と、前記無線キー本体部の係合受け部と係合状態となって前記突出動作部の引っ掛け部を前記無線キー本体部内に収容保持する第二係合部とを有した可動部材を備え、前記ロック解除操作部は、前記プッシュ操作により、当該可動部材における前記第一係合部及び前記第二係合部の各々の前記係合状態を同時に解除することにより、前記突出動作部の引っ掛け部を外部に露出させる前記突出動作を可能とするものである請求項３に記載の携帯型無線キー。
【請求項５】
前記ロック機構は、前記可動部材をなす回動部材と、該回動部材を前記無線キー本体部に対し回動自在に支持する回動軸部とを有して構成され、該回動部材は、該回動軸部の回動軸に対して垂直な方向の両端部のうち一方の端部に前記第一係合部が設けられ、他方の端部に前記第二係合部が設けられるとともに、該回動部材は、前記第二係合部が設けられる端部側に前記プッシュ操作の操作面を有し、該操作面が前記無線キー本体部の内向きにプッシュ操作がなされた場合には、前記第一係合部側の端部が該無線キー本体部の外側へ浮き上がって前記第一係合部の係合状態が解除されることにより前記ロック機構のロックが解除される一方で、逆側の前記第二係合部側の端部が該無線キー本体部の内側へ押し込まれて前記第二係合部の係合状態が解除されることにより前記突出動作部の引っ掛け部を前記無線キー本体部内から外部に露出させる前記突出動作が可能となるよう構成されている請求項４に記載の携帯型無線キー。
【請求項６】
前記無線キー本体部の突出動作部は、回動部材と、該回動部材を前記無線キー本体部に対し回動自在に支持する回動軸部とを有して構成され、該回動部材は、該回動軸部の回動軸に対して垂直な方向の両端部のうち、前記ロック機構の回動部材から遠い端部側に該回動軸部が設けられ、他方の端部に前記第二係合部と係合する前記係合受け部が設けられる請求項５に記載の携帯型無線キー。
【請求項７】
車両側との無線通信により、少なくとも前記車両のドアロックの施錠／開錠に係る制御を実施させる携帯型無線キーであって、無線キー本体部内には、前記ドアロックの施錠／開錠を行うメカニカルキーとしてのエマージェンシーキーが挿入されて保持した形で収容されている携帯型無線キーにおいて、
前記無線キー本体部は、その外周側面をなす所定位置の操作面に対する１回のプッシュ操作により該無線キー本体部から外向きに突出する突出動作が生じる突出動作部を有し、当該突出動作によって、前記無線キー本体部内に前記エマージェンシーキーを収容した状態のまま、当該無線キー本体部内に収容されている前記突出動作部の引っ掛け部が外部に露出して使用可能となる一方、
前記エマージェンシーキーには係合受け部が設けられ、
前記無線キー本体部には、前記突出動作部に係合受け部が設けられ、
さらに前記無線キー本体部には、収容されている前記エマージェンシーキーを取り出し不能にロックするロック機構と、該ロック機構をロック解除するロック解除操作部とが設けられ、
前記ロック機構には、前記無線キー本体部内に収容された状態の前記エマージェンシーキーの係合受け部と係合状態となって該エマージェンシーキーを取り出し不能とする第一係合部と、前記無線キー本体部の係合受け部と係合状態となって前記突出動作部の引っ掛け部を前記無線キー本体部内に収容保持する第二係合部とを有した可動部材が回動部材として設けられ、さらに該回動部材を前記無線キー本体部に対し回動自在に支持する回動軸部が設けられ、
前記回動部材には、前記回動軸部の回動軸に対して垂直な方向の両端部のうち一方の端部に前記第一係合部が設けられ、他方の端部に前記第二係合部が設けられるとともに、該回動部材は、前記第二係合部が設けられる端部側に前記プッシュ操作の操作面を有し、該操作面が前記無線キー本体部の内向きにプッシュ操作がなされた場合には、前記第一係合部側の端部が該無線キー本体部の外側へ浮き上がって前記第一係合部の係合状態が解除されることにより前記ロック機構のロックが解除されて前記エマージェンシーキーが取り出し可能となる一方で、逆側の前記第二係合部側の端部が該無線キー本体部の内側へ押し込まれて前記第二係合部の係合状態が解除されることにより前記突出動作部の引っ掛け部を前記無線キー本体部内から外部に露出させる突出動作が可能となるよう構成されることを特徴とする携帯型無線キー。
【請求項８】
前記無線キー本体部の突出動作部は、回動部材と、該回動部材を前記無線キー本体部に対し回動自在に支持する回動軸部とを有して構成され、該回動部材は、該回動軸部の回動軸に対して垂直な方向の両端部のうち、一方の端部に前記無線キー本体部に設けられた係合部と係合する係合受け部が設けられ、該係合受け部と前記無線キー本体部の係合部との係合状態にて、前記突出動作部が前記無線キー本体部内に収容されている請求項１又は請求項２に記載の携帯型無線キー。
【請求項９】
前記回動軸部は、前記回動部材の両端部に対する中間位置に設けられ、前記回動部材の両端部のうち、前記引っ掛け部が設けられていない側の端部側に前記プッシュ操作の操作面が形成され、該操作面が前記無線キー本体部の内向きにプッシュ操作されることにより、該無線キー本体部の係合部側の端部が該無線キー本体部の外側へ浮き上がるよう構成されるとともに、該操作面は、前記無線キー本体部の外周側面上に、前記エマージェンシーキーのキープレート部又はそれよりも細い幅の部材によってのみプッシュ操作が可能となる形状にて露出している請求項８に記載の携帯型無線キー。
【請求項１０】
前記無線キー本体部の突出動作部は、前記エマージェンシーキーの取り出し方向とは逆側の端部に形成されている請求項１ないし請求項９のいずれか１項に記載の携帯型無線キー。
【請求項１１】
前記無線キー本体部は、角部に面取りがなされた略直方体形状の筐体形状をなすとともに、その主面に対する短辺側に前記突出動作部が設けられている請求項１ないし請求項１０のいずれか１項に記載の携帯型無線キー。
【請求項１２】
前記エマージェンシーキーは、前記無線キー本体部内に収容された収容状態において外部に露出する部分に、上記突出動作部の引っ掛け部とは別の引っ掛け部が形成されている請求項１ないし請求項１１のいずれか１項に記載の携帯型無線キー。
【発明の詳細な説明】
【技術分野】
【０００１】
本発明は、車両側との無線通信により、少なくとも前記車両のドアロックの施錠／開錠に係る制御を実施させる携帯型無線キーに関するものであり、特に、無線キー本体部内には、前記ドアロックの施錠／開錠を行うメカニカルキーとしてのエマージェンシーキーが挿入されて保持した形で収容されている携帯型無線キーに関する。
【背景技術】
【０００２】
近年の車両には、キーレスエントリーや、スマートエントリーシステム、スマートスタートシステム等に代表される電子キーシステムが搭載されているようになってきており、こうした電子キーシステムにおいては、車両との無線通信を行うための携帯型無線キーを備える（特許文献１）。こうした携帯型無線キーでは、キー自身が搭載する電池の電池切れや、車両側のバッテリー上がりに備えて、エマージェンシーキーを搭載することが一般的である。
【０００３】
こうしたエマージェンシーキーでは、キープレート部の端部に把持部が設けられるとともに、その把持部に吊環部が設けられることがある。こうした吊環部を有するエマージェンシーキーは、一般的には、携帯型無線キーの本体側に収容された状態でも、その吊環部が使用できるように形成されている。
【先行技術文献】
【特許文献】
【０００４】
【特許文献１】特開２００１−４０９２１号公報
【発明の概要】
【発明が解決しようとする課題】
【０００５】
ところが、こうした電子キーシステムを搭載した車両においては、ホテル等に携帯型無線キーを預けるような場合（ホテル側で駐車場に車を移動する際）に、エマージェンシーキーを取り外して渡すことが一般的であるが、エマージェンシーキーを取り外された本体側には吊環部が存在しないため、ホテル側でのキーの管理・保管の際に吊環部を使用できないという問題がある。
【０００６】
また、エマージェンシーキーの吊環部は、他のキーなどと一体にするためにキーホルダー等が取り付けられている場合も多く、自宅等においてフックなどに引っ掛けて保管しようと思っても、吊環部が既に別のものに使用されているため利用できない場合もある。
【０００７】
だからといって、携帯型無線キーの本体側に突起等の引っ掛かり部を形成すれば、今度はポケットなどに入れて持ち運ぶ際に引っ掛かるなどの不具合を生じる可能性もあるし、デザイン的に見てもその突起部部分がマイナスに作用する可能性が高い。
【０００８】
本発明の課題は、エマージェンシーキー以外の部分に、キー全体のデザイン性を損なわない形で、保管のため等に利用できる引っ掛け部を有した利便性のよい携帯型無線キーを提供することにある。
【課題を解決するための手段および発明の効果】
【０００９】
上記課題を解決するために、本発明の携帯型無線キーは、
車両側との無線通信により、少なくとも車両のドアロックの施錠／開錠に係る制御を実施させる携帯型無線キーであって、無線キー本体部内には、ドアロックの施錠／開錠をメカニカルキーとしてのエマージェンシーキーが挿入されて保持した形で収容されている携帯型無線キーにおいて、
無線キー本体部は、その外周側面をなす所定位置の操作面に対する１回のプッシュ操作により該無線キー本体部から外向きに突出する突出動作が生じる突出動作部を有し、当該突出動作によって、無線キー本体部内にエマージェンシーキーを収容した状態のまま、当該無線キー本体部内に収容されている突出動作部の引っ掛け部が外部に露出して使用可能となることを前提とする。
本願発明の携帯型無線キーの第一は、上記前提のもと、
突出動作部が、無線キー本体部の外周側面上において、操作面がエマージェンシーキーのキープレート部又はそれよりも細い幅の部材によってのみプッシュ操作が可能となる形状にて露出するとともに、非突出状態における残余の露出面が、当該操作面と同幅をなす形で露出していることを特徴とする。
また、本願発明の携帯型無線キーの第二は、上記前提のもと、
無線キー本体部が、その外周側面をなす所定位置の操作面に対する１回のプッシュ操作により該無線キー本体部から外向きに突出する突出動作が生じる、エマージェンシーキーとは別体の突出動作部を有し、当該突出動作によって、無線キー本体部内にエマージェンシーキーを収容した状態のまま、当該無線キー本体部内に収容されている突出動作部の引っ掛け部が外部に露出して使用可能となるとともに、該引っ掛け部はエマージェンシーキーを取り出した後も外部に露出させて使用可能であることを特徴とする。
さらに本願発明の携帯型無線キーの第三は、上記前提のもと、
エマージェンシーキーには係合受け部が設けられ、
無線キー本体部には、突出動作部に係合受け部が設けられ、
さらに無線キー本体部には、収容されているエマージェンシーキーを取り出し不能にロックするロック機構と、該ロック機構をロック解除するロック解除操作部とが設けられ、
ロック機構には、無線キー本体部内に収容された状態のエマージェンシーキーの係合受け部と係合状態となって該エマージェンシーキーを取り出し不能とする第一係合部と、無線キー本体部の係合受け部と係合状態となって突出動作部の引っ掛け部を無線キー本体部内に収容保持する第二係合部とを有した可動部材が回動部材として設けられ、さらに該回動部材を無線キー本体部に対し回動自在に支持する回動軸部が設けられ、
回動部材には、回動軸部の回動軸に対して垂直な方向の両端部のうち一方の端部に第一係合部が設けられ、他方の端部に第二係合部が設けられるとともに、該回動部材は、第二係合部が設けられる端部側にプッシュ操作の操作面を有し、該操作面が無線キー本体部の内向きにプッシュ操作がなされた場合には、第一係合部側の端部が該無線キー本体部の外側へ浮き上がって第一係合部の係合状態が解除されることによりロック機構のロックが解除されてエマージェンシーキーが取り出し可能となる一方で、逆側の第二係合部側の端部が該無線キー本体部の内側へ押し込まれて第二係合部の係合状態が解除されることにより突出動作部の引っ掛け部を無線キー本体部内から外部に露出させる突出動作が可能となるよう構成されることを特徴とする。
【００１０】
上記本発明の構成によれば、引っ掛け部を有する突出動作部が無線キー本体部内に収容されているため、必要な時はいつでも外に出して引っ掛け部を使用することができるし、不要なときには引っ掛け部を収容すればよいので、キー全体のデザイン性を損なうこともない。また、引っ掛け部を外に出す操作が１回のプッシュ操作（押圧操作）で済むため、ユーザーの手を煩わせるようなことも無い。
【００１１】
本発明の無線キー本体部には、収容されているエマージェンシーキーを取り出し不能にロックするロック機構と、該ロック機構をロック解除するロック解除操作部とを設けることができ、無線キー本体部の外周側面をなす所定位置に対する１回のプッシュ操作によって、突出動作部の引っ掛け部を外部に露出させる突出動作が可能となると共に、ロック機構によるロックが解除されてエマージェンシーキーが取り出し可能とすることができる。この構成によれば、引っ掛け部を外部に露出させる操作と、エマージェンシーキーを取り出し可能状態にするための操作とが同じ操作となるため、引っ掛け部を使用したいだけでなく、エマージェンシーキーも取り出したい状況において都合がよい。
【００１２】
なお、無線キー本体部は、収容したエマージェンシーキーを、上記ロック機構によるロックするロック状態（取り出し不能状態）とは別に、上記ロック機構によるロック解除状態においても、一定の力以上で取り出し可能となる仮抜け止め保持状態にて収容する仮抜け止め保持手段を備えて構成できる。そして、突出動作部の引っ掛け部を外部に露出させる突出動作を生じさせた上で、その突出状態を保持したまま、ロック機構をロック状態に戻すことを可能に構成してもよい。これによれば、突出動作部の引っ掛け部を外部に露出させたときに、エマージェンシーキーを取り出す意図が無ければ、エマージェンシーキーが外れることは無く、そのまま再度ロック状態に移行して、エマージェンシーキーを確実に外れないようにすることができる。
【００１３】
本発明において、エマージェンシーキーには係合受け部が設けられ、無線キー本体部の突出動作部には係合受け部が設けられるように構成でき、無線キー本体部のロック機構には、該無線キー本体部内に収容された状態のエマージェンシーキーの係合受け部と係合状態となって該エマージェンシーキーを取り出し不能とする第一係合部と、無線キー本体部の係合受け部と係合状態となって突出動作部の引っ掛け部を無線キー本体部内に収容保持する第二係合部とを有した可動部材を備え、ロック解除操作部は、プッシュ操作により、当該可動部材における第一係合部及び第二係合部の各々の係合状態を同時に解除することにより、突出動作部の引っ掛け部を外部に露出させる突出動作を可能とするように構成できる。この構成によれば、ロック機構の１つの可動部材に対し、２つの係合部を設けるだけで、エマージェンシーキーのロックと、引っ掛け部を有する突出動作部の収容保持との双方を実現することができる。
【００１４】
具体的には、本発明のロック機構は、可動部材をなす回動部材と、該回動部材を無線キー本体部に対し回動自在に支持する回動軸部とを有して構成することができ、該回動部材は、該回動軸部の回動軸に対して垂直な方向の両端部のうち一方の端部に第一係合部を設け、他方の端部に第二係合部を設けて構成することができる。そして、該回動部材は、第二係合部が設けられる端部側にプッシュ操作の操作面を有し、該操作面が無線キー本体部の内向きにプッシュ操作がなされた場合には、第一係合部側の端部が該無線キー本体部の外側へ浮き上がって第一係合部の係合状態が解除されることによりロック機構のロックが解除される一方で、逆側の第二係合部側の端部が該無線キー本体部の内側へ押し込まれて第二係合部の係合状態が解除されることにより突出動作部の引っ掛け部を無線キー本体部内から外部に露出させる突出動作が可能となるよう構成できる。この構成によると、ロック機構をシーソースイッチと同様の機構として構成することができる。回動動作（揺動動作）する可動部材の両端部にそれぞれ、エマージェンシーキーとのロック用の係合部と、引っ掛け部を有する突出動作部の収容保持用の係合部とを設けるシンプルな構成で、エマージェンシーキーのロックと、突出動作部の収容保持との双方を実現することができる。
【００１５】
なお、この構成の場合、ロック機構の回動部材は、第一係合部及び第二係合部のそれぞれが係合状態となる係合位置に付勢保持され、操作面へのプッシュ操作は、当該付勢力に抗する形でなされ、当該プッシュ操作が解除されるに伴い係合位置に復帰するものとできる。これにより、プッシュ操作が解除されれば直ちにエマージェンシーキーがロック状態となる。さらに、突出動作部の引っ掛け部を外部に露出させた突出状態を保持したまま、ロック機構をロック状態に戻すことが可能な構成であれば、突出動作部を突出させて直ぐにプッシュ操作を解除することで、引っ掛け部を外部に露出させて使用可能な状態としたまま、エマージェンシーキーをロック状態とすることができる。
【００１６】
本発明における無線キー本体部の突出動作部は、回動部材と、該回動部材を無線キー本体部に対し回動自在に支持する回動軸部とを有して構成することができ、該回動部材は、該回動軸部の回動軸に対して垂直な方向の両端部のうち、ロック機構の回動部材から遠い端部側に該回動軸部が設けられ、他方の端部に第二係合部と係合する係合受け部が設けられる形で構成できる。この構成によると、突出動作部をシーソースイッチと同様のシンプルな機構として構成することができる。
【００１７】
ところで、本発明においては、上記のようなロック機構を設けずとも構成できる。例えば、本発明における無線キー本体部の突出動作部は、回動部材と、該回動部材を無線キー本体部に対し回動自在に支持する回動軸部とを有して構成され、該回動部材は、該回動軸部の回動軸に対して垂直な方向の両端部のうち、一方の端部に無線キー本体部に設けられた係合部と係合する係合受け部が設けられ、該係合受け部と無線キー本体部の係合部との係合状態にて、突出動作部が無線キー本体部内に収容されるように構成できる。この構成によれば、エマージェンシーキーとは無関係に、突出動作部の引っ掛け部を外部に露出することができる。
【００１８】
また、本発明において、上記の回転軸部は、回動部材の両端部に対する中間位置に設けられ、回動部材の両端部のうち、引っ掛け部が設けられていない側の端部側にプッシュ操作の操作面が形成され、該操作面が無線キー本体部の内向きにプッシュ操作されることにより、該無線キー本体部の係合部側の端部が該無線キー本体部の外側へ浮き上がるよう構成されるとともに、該操作面は、無線キー本体部の外周側面上に、エマージェンシーキーのキープレート部又はそれよりも細い幅の部材によってのみプッシュ操作が可能となる形状にて露出するように構成できる。この構成によれば、突出動作部の引っ掛け部を外部に露出するための操作を誤ってする心配がなくなる。
【００１９】
本発明におけるエマージェンシーキーは、無線キー本体部内に収容された収容状態において外部に露出する部分に、上記突出動作部の引っ掛け部とは別の引っ掛け部を形成することができる。例えば、エマージェンシーキーは、鍵穴に差し込まれるキープレート部と、その端部に設けられたキー把持部とを有して構成することができ、このキー把持部を、キープレート部が無線キー本体部内に収容された収容状態において外部に露出する部分とし、この部分に、上記突出動作部の引っ掛け部とは別の引っ掛け部を形成することができる。これにより、常時使用可能な第一の引っ掛け部と、通常時は収容されている第二の引っ掛け部とを使い分けることが可能となる。
【００２０】
本発明において、無線キー本体部の突出動作部は、エマージェンシーキーの取り出し方向とは逆側の端部に形成することができる。エマージェンシーキーの取り出し側は、その取り出しようの開口が設けられる等、引っ掛け機構のような別機構を設けられるには不向きであるし、仮に、エマージェンシーキーにも引っ掛け部が設けられている場合には、２つの引っ掛け部が逆側に設けられていた方がそれぞれ使い易い。例えば、エマージェンシーキーの引っ掛け部にキーホルダー等がついている場合には、それと逆側に別の引っ掛け部があった方が、その別の引っ掛け部をフックなどに引っ掛けた時に安定し易い。
【００２１】
本発明において、無線キー本体部は、角部に面取りがなされた略直方体形状の筐体形状をなすとともに、その主面に対する短辺側に突出動作部を設けることができる。これにより、滑らかなデザイン性を有する携帯型無線キーとなる。また、短辺側に突出動作部が設けられることで、引っ掛かり部を外部に露出させ、フック等に引っ掛けて使用する際に、安定し易い。
【図面の簡単な説明】
【００２２】
【図１】本発明の一実施形態である携帯型無線キーの外観図。
【図２】本発明の第一実施形態である携帯型無線キーの突出動作を説明する図。
【図３】本発明の第一実施形態である携帯型無線キーの内部を示す図２の分解図。
【図４】本発明の第二実施形態である携帯型無線キーの突出動作を説明する図。
【図５】本発明の第二実施形態である携帯型無線キーの内部を示す図２の分解図。
【発明を実施するための形態】
【００２３】
本実施形態の携帯型無線キー１は、例えば車両のキーレスエントリーや、スマートエントリーシステムやスマートスタートシステムに代表される電子キーシステムに適用されたものであり、少なくとも車両側と無線通信するための無線通信機能を有し、なおかつその無線通信により、少なくともその車両のドアロックの施錠／開錠に係る制御を実施させるものである。こうした電子キーシステムでは、車両側が、予め定められたキー探索エリア内にポーリング電波を無線出力して、その応答信号の無線受信に基づいて該キー探索エリア内に存在する携帯型無線キー１の探索がなされるとともに、当該携帯型無線キー１から無線受信するＩＤコードを照合し、その照合結果に基づいて、予め定められた車両制御が実施される。
【００２４】
本実施形態の携帯型無線キー１は、いわゆる車両のスマートエントリーシステム及びスマートスタートシステムにおけるスマートキーとして構成される。スマートエントリーシステムでは、車外周辺の予め定められたキー探索エリア内に携帯型無線キー１が存在する場合に、当該携帯型無線キー１から無線返送されるＩＤコードを照合して、その照合結果に基づいてドアロックの開錠許可を与え、そのドアロックの開錠許可状態において所定のドアロック開錠操作が検知された場合にドアロック機構を作動して開錠する。即ち、その照合結果に基づいて、車両のドアロックを、所定の開錠操作により開錠可能となる開錠許可状態と開錠不可となる開錠禁止状態との間で切り替える制御が実施される。また、スマートスタートシステムでは、車室内の予め定められたキー探索エリア内に携帯型無線キー１が存在する場合に、当該携帯型無線キー１から無線返送されるＩＤコードを照合して、その照合結果に基づいてエンジンの始動許可を与え、そのエンジンの始動許可状態において所定のエンジン始動操作が検知された場合にエンジンを始動させる。即ち、その照合結果に基づいて、車両のエンジンを、所定のエンジン始動操作により始動可能となる始動許可状態と始動不可となる始動禁止状態との間で切り替える制御が実施される。
【００２５】
図１は、本実施形態の携帯型無線キーの外観図である。携帯型無線キー１は、対応する車両のドアロックの施錠／開錠を、当該車両のドアに設けられた鍵穴に対し直接的に行うメカニカルキーとしてのエマージェンシーキー２と、エマージェンシーキー２を収容する無線キー本体部３とを有して構成される。エマージェンシーキー２は、無線キー本体部３内の所定の収容部３１に対し挿入される形で保持されている。
【００２６】
エマージェンシーキー２は、車両ドアの鍵穴に差し込まれるキープレート部２Ａと、その端部に設けられたキー把持部２Ｂとを有する。また、キー把持部２Ｂには、キープレート部２Ａが無線キー本体部３の収容部３１内に収容された収容状態において外部に露出する第一の引っ掛け部として吊環部２Ｃが形成されている。なお、ここでのエマージェンシーキー２は、無線キー本体部３の外周側面３０からキー把持部２Ｂを突出させた状態で無線キー本体部３内に収容保持されている。
【００２７】
無線キー本体部３は、角部に面取りがなされた滑らかな外形を有した略直方体形状の筐体形状をなす。その短辺の長さ方向における一方の側から長辺の長さ方向に延びる形で、エマージェンシーキー２の収容部３１が形成されている。本実施形態の収容部３１は、エマージェンシーキー２のキープレート部２Ａを上記長辺の長さ方向に挿入する形で収容しており、収容されたキープレート部２Ａの鍵溝に係合する鍵溝係合部（図示なし）を有する。キープレート部２Ａの鍵溝と、収容部３１の鍵溝係合部とが係合状態となることで、仮抜け止め保持状態（後述のロック解除状態であれば、一定の力以上で引き抜くことは可能）となる。
【００２８】
無線キー本体部３は、その厚み方向において上下に分離されており、上側ケース体３Ｕと下側ケース体３Ｄとを重ねた形で一体に固定されている。無線キー本体部３の主表面には、ドアロックの施錠及び解除を行うための操作部等、各種の操作部３９が設けられている。無線キー本体部３内には、これら操作部が接続される制御部や、この制御部により制御される無線信号の送受信部等が設けられる。なお、こうした携帯型無線キー１の電気的構造については周知であるので説明は省略する。
【００２９】
ところで、本発明の携帯型無線キー１において、無線キー本体部３は、その外周側面３０をなす所定位置の操作面３０Ｐに対する１回のプッシュ操作により該無線キー本体部３から外向きに突出する突出動作が生じる突出動作部３２を有する。この突出動作によって、無線キー本体部３内にエマージェンシーキー２を収容した状態のまま、当該無線キー本体部３内に収容されている突出動作部３２の引っ掛け部３３が、携帯型無線キー１の第二の引っ掛け部３３として外部に露出して使用可能となることを特徴とする。
【００３０】
以下、本発明の携帯型無線キーの第一実施形態における特徴部について、図２の部分外観図及び図３の分解図を用いて説明する。
【００３１】
第一実施形態における突出動作部３２は、回動部材３２１と、回動部材３２１を無線キー本体部３に対し回動自在に支持する回動軸部３２２とを有して構成される。回動部材３２１は、回動軸部３２２の回転軸線に対して垂直な方向に延出し、その両端部３２Ａ，３２Ｂのうち、一方の端部３２Ａ側には、無線キー本体部３に設けられた係合部３５と係合する係合受け部３４と、引っ掛け部３３とが設けられている。この係合受け部３４と、無線キー本体部３の係合部３５とが係合した係合状態にて、突出動作部３２が無線キー本体部３内に収容保持されている。
【００３２】
回転軸部３２２は、回動部材３２１の両端部３２Ａ，３２Ｂに対する中間位置に、無線キー本体部３の厚み方向に延びる形で設けられる。ただし、回転軸部３２２は、両端部３２Ａ，３２Ｂのうち、引っ掛け部３３及び係合受け部３４が設けられている端部３２Ａ側に偏った位置に設けられている。
【００３３】
回動部材３２１の両端部３２Ａ，３２Ｂのうち、引っ掛け部３３及び係合受け部３４が設けられていない側に位置する端部３２Ｂの、無線キー本体部３の側方から外部に露出する面３０Ｐは、無線キー本体部３の内向きにプッシュ操作可能な操作面３０Ｐをなす。この操作面３０Ｐに対し上記プッシュ操作がなされると、当該操作面３０Ｐが形成される端部３２Ｂ側が無線キー本体部３の内側へ押し込まれる一方で、その逆側の端部３２Ａ側が無線キー本体部３の外側へ浮き上がるように構成されている。端部３２Ａ側が無線キー本体部３の外側へ浮き上がることにより、無線キー本体部３に設けられた係合部３５と、端部３２Ａの係合受け部３４との係合状態が物理的に解除されるとともに、引っ掛け部３３が無線キー本体部３内から外に突出し、フック等に引っ掛けることが可能となる。
【００３４】
操作面３０Ｐは、無線キー本体部３の外周側面３０上に、エマージェンシーキー２のキープレート部２Ａ又はそれよりも細い幅の部材（例えばマイナスドライバー等）といった、予め定められた幅を下回る薄い先端部を有した専用ツール（例えばエマージェンシーキー２）によってのみプッシュ操作が可能となる形状にて、無線キー本体部３の外周側面３０から外部に露出している。
【００３５】
また、回動部材３２１は、回転軸部３２２を、無線キー本体部３の内部側に位置させる形で回動自在に支持された板材であり、回転軸部３２２から遠い側の面３２０が、無線キー本体部３の外周側面３０をなす。操作面３０Ｐは、外周側面３０をなす回動部材３２１の面３２０のうち、回転軸部３２２に対する端部３２Ｂ側の面であり、この面には、専用ツール（例えばエマージェンシーキー２）の先端部と係合させるための凹部３２ｐが形成されている。当該凹部３２ｐの底面を専用ツール（例えばエマージェンシーキー２）の先端部が押圧する形で、上記のプッシュ操作がなされる。凹部３２ｐに専用ツールの先端部が進入した状態で押圧することにより、専用ツールの先端部のすべりが抑制され、プッシュ操作がし易くなっている。
【００３６】
無線キー本体部３には、回動部材３２１を、面３２０を露出した形で収容する開口３０Ｌが形成されるとともに、その内部には、上記操作面３０Ｐへのプッシュ操作による回動部材３２１の端部３２Ｂの無線キー本体部３内側への回動変位を許容するための回動変位許容空間３ＢＳが、上側ケース体３Ｕと下側ケース体３Ｄとに挟まれた空間として形成されている。一方で、この回動変位許容空間３ＢＳの、無線キー本体部３の内側に形成される壁部（壁面）３Ｓは、当該回動変位を所定角度位置までに規制する変位規制手段として機能している。これにより、引っ掛け部３３が形成される逆側の端部３２Ａの突出量を一定とすることができ、引っ掛け部３３を引っ掛けに適する突出量だけ突出させることを可能とし、過剰な突出を防止している。
【００３７】
本実施形態の回動部材３２１は、全体がＬ字形状をなして形成されている。Ｌ字形状をなす回動部材３２１は、その長手側延出部３２Ｃの中間位置にて回動軸部３２２に対し回転自在に取り付けられている。具体的にいえば、本実施形態の回動部材３２１はＬ字形状の金属プレートであり、このＬ字の長手側延出部３２Ｃの中間位置には軸挿通孔部３２Ｄが形成されている。この軸挿通孔部３２Ｄには、無線キー本体部３の外周端部からその厚み方向に突出する円筒状の回転軸部３２２が挿通され、その円筒状の回転軸部３２２の先端部への熱カシメにより、軸挿通孔部３２Ｄ（突出動作部３２）が回転軸部３２２に対し着脱不能で、なおかつ回転自在（ここでは摺動回転可能）となるように平ワッシャを介して取り付けられている。
【００３８】
また、本実施形態の突出動作部３２は、無線キー本体部３の外周側面３０に形成されたＬ字型の開口３０Ｌを塞ぐ形で設けられ、突出動作部３２の当該開口３０Ｌから露出する露出面３２０が、無線キー本体部３の外周側面３０の一部をなすよう、外周側面３０から連続的につながる面３２０となるように形成されている。本実施形態におけるＬ字型の開口３０Ｌは、無線キー本体部３の４つの角部のうち１つの角部にまたがる形で外周側面３０上に形成されており、このＬ字型の開口３０Ｌ内にＬ字形状の突出動作部３２が嵌め込まれた形で配置されている。突出動作部３２の操作面３０Ｐがプッシュ操作されると、突出動作部３２の長手側延出部３２Ｃから屈曲した屈曲部３３が無線キー本体部３の外側へ浮き上がり、長手側延出部３２Ｃから屈曲した先の屈曲先端部３２Ａの先端面（ここでは屈曲先端部３２Ａの先端のやや内周側の面）３２ａが無線キー本体部３の開口外縁位置に到達する。この到達位置は、上述した変位規制手段によって決められた位置である。これにより、引っ掛け部３３に何かを引っ掛けた時に、その引っ掛けたものが、Ｌ字形状の突出動作部３２の屈曲内周側と、それに対向する無線キー本体部３の外周側面とで取り囲まれた空間に保持される形となり、外れ難い。
【００３９】
本実施形態の引っ掛け部３３は、Ｌ字形状をなす突出動作部３２において長手側延出部３２Ｃの一方の先端から屈曲した屈曲部として形成されている。ここでの引っ掛け部３３は、屈曲部の内周側角部といえる。本実施形態の引っ掛け部３３は、この屈曲部の内周側角部が外周側角部側に向けて凹んだ凹部として形成されており、より確実に物を引っ掛けることが可能となっている。ここでの凹部は、湾曲面をなす形で形成されている。
【００４０】
本実施形態の係合受け部３４は、Ｌ字形状をなす突出動作部３２において長手側延出部３２Ｃの一方の先端から屈曲した先の屈曲先端部３２Ａにて、無線キー本体部３の厚み方向に凹んだ溝または穴として形成されている。他方、これに係合する無線キー本体部３の係合部３５は、無線キー本体部３の厚み方向に突出する突起部として形成されている。
【００４１】
本実施形態の無線キー本体部３の突出動作部３２は、略直方体形状の筐体形状をなす無線キー本体部３の、略長方形状の主面に対する短辺側の端部に設けられており、さらにいえば、エマージェンシーキー２の取り出し方向とは逆側の端部に設けられている。Ｌ字形状をなす突出動作部３２は、略直方体形状の筐体形状をなす無線キー本体部３の短辺側に長手側延出部３２Ｃを有し、隣接する長辺側へと屈曲した形状を有する。
【００４２】
次に、本発明の携帯型無線キーの第二実施形態における特徴部について、図４の部分外観図及び図５の分解図を用いて説明する。
【００４３】
第二実施形態の無線キー本体部３には、収容されているエマージェンシーキー２を取り出し不能にロックするロック機構２１と、該ロック機構をロック解除するロック解除操作部２２とが設けられ、ロック機構２１のロック解除動作と連携する形で、突出動作部３２に引っ掛け部３３が使用可能となるような突出動作が生ずる。即ち、無線キー本体部３の外周側面３０をなす所定位置に対する１回のプッシュ操作によって、ロック機構２１のロック状態も解除されて、エマージェンシーキー２の取り出しが可能となると共に、突出動作部３２の引っ掛け部３３が外部に露出することが可能となる。つまり、ロック機構２１のロック解除操作に、突出動作部３２に突出動作を生じさせる操作が兼用された構成となっている。
【００４４】
なお、突出動作部３２の引っ掛け部３３を外部に露出させる突出動作を生じさせた上で、その突出状態を保持したまま、ロック機構２１をロック状態に戻すことも可能である。つまり、エマージェンシーキー２をロック状態に保持したまま、突出動作部３２の引っ掛け部３３を使用することも可能である。
【００４５】
無線キー本体部３のロック機構２１は、回動部材（可動部材）２１１と、該回動部材２１１を無線キー本体部３に対し回動自在に支持する回動軸部２１２とを有して構成される。回動部材２１１には、無線キー本体部３内に収容された状態のエマージェンシーキー２の係合受け部２３と係合状態となって該エマージェンシーキー２を取り出し不能とする第一係合部２４と、突出動作部３２の係合受け部２５と係合状態となって突出動作部３２の引っ掛け部３３を無線キー本体部３内に収容保持する第二係合部２６とを有する。
【００４６】
ロック解除操作部２２は、上記のプッシュ操作により、ロック機構２１における第一係合部２４及び第二係合部２６の各々の係合状態を同時に解除することにより、突出動作部３２の引っ掛け部３３を外部に露出させる突出動作を可能とするものであり、本実施形態の回動部材２１１のことである。
【００４７】
本実施形態の回動部材２１１は、回動軸部２１２の回転軸線に対して垂直な方向に延出し、その両端部２１Ａ，２１Ｂのうち一方２１Ａの端部に第一係合部２４が設けられ、他方の端部２１Ｂに第二係合部２６が設けられる。回動部材２１１は、第二係合部２６が設けられた端部２１Ｂ側に、ロック解除操作部２２としてのプッシュ操作の操作面３０Ｐを有する。この操作面３０Ｐが無線キー本体部３の内向きにプッシュ操作がなされた場合には、回動部材２１１の第一係合部２４側の端部２１Ａが該無線キー本体部３の外側へ浮き上がって第一係合部２４の係合受け部２３との係合状態が解除されることによりロック機構２１のロックが解除される一方で、逆側の第二係合部２６側の端部２１Ｂが無線キー本体部３の内側へ押し込まれて第二係合部２６の係合受け部２５との係合状態が解除されることにより突出動作部３２の引っ掛け部３３を無線キー本体部３内から外部に露出させる突出動作が可能となるよう構成されている。
【００４８】
なお、ロック機構２１の回動部材２１１は、第一係合部２４及び第二係合部２６のそれぞれが上記のような係合状態となる係合角度位置に位置するよう、ばね部材などの付勢手段２７により付勢保持される。操作面３０Ｐへのプッシュ操作は、付勢手段２７による付勢力に抗する形でなされ、当該プッシュ操作が解除されるに伴い上記のような係合位置に復帰する。
【００４９】
突出動作部３２は、回動部材３２１と、回動部材３２１を無線キー本体部３に対し回動自在に支持する回動軸部３２２とを有して構成される。回動部材３２１は、回動軸部３２２の回転軸線に対して垂直な方向の両端部３２Ａ，３２Ｂのうち、ロック機構２１から遠い端部３２Ａ側に回動軸部３２１が設けられ、他方の端部３２Ａに、ロック機構２１の回動部材２１１の第二係合部２６と係合する係合受け部２５が設けられる。
【００５０】
エマージェンシーキー２には、係合受け部２３として鍵溝とは別の溝または穴が設けられる。ロック機構２１には、この係合受け部２３と係合する第一係合部２４として、当該係合受け部２３をなす溝または穴への嵌合により係合状態（嵌合状態）となる突起部が設けられている。本実施形態のエマージェンシーキー２には、係合受け部２３として、キープレート部２Ａの先端部に、無線キー本体部３内に収容された状態で無線キー本体部３の内側から外に向けて貫通する貫通孔２３が設けられる一方、ロック機構２１の第一係合部２４は、無線キー本体部３の外側から内側に突出した突起部２４が設けられており、ロック状態においては、この突起部２４が貫通孔２３内を挿通した状態となる。これにより、エマージェンシーキー２を取り出すことができないようになる。ロック機構２１の回動部材２１１上の操作面３０Ｐに対しプッシュ操作がなされてロック部材２１１の第一係合部２４側の端部２１Ａが無線キー本体部３の外側へ浮き上がった場合には、突起部２４が貫通孔２３から外れて、ロック機構２１のロックが解除され、エマージェンシーキー２を取り出すことが可能となる。
【００５１】
他方、本実施形態の無線キー本体部３の突出動作部３２には、係合受け部２５として鉤爪状係合受け部が設けられる。ロック機構２１には、この鉤爪状係合受け部２５と係合する第二係合部２６として、当該係合受け部２５をなす鉤爪状係合受け部に対し係合状態（嵌合状態）となる鉤爪状係合部が設けられている。即ち、鉤爪状係合受け部２５と鉤爪状係合部２６とは互いの爪部同士が引っ掛かる形で係合することにより、突出動作部３２の端部３２Ａ，３２Ｂに対する無線キー本体部３内へ向かうプッシュ操作が生じても突出動作しないようになっている。具体的にいえば、突出動作部３２の回動部材３２１と、ロック機構２１の回動動作部２１１とはＬ字状に配置されているため、突出動作部３２の端部３２Ａに対しプッシュ操作がなされた場合には、逆側の端部３２Ａでは、鉤爪状係合受け部２５と鉤爪状係合部２６とにおける爪部同士の引っ掛かり係合が、ロック機構２１の回動動作部２１１の延出方向に生じ、逆側の端部３２Ａが無線キー本体部３の外側に浮き上がることが妨げられる一方、突出動作部３２の端部３２Ｂに対しプッシュ操作がなされた場合には、ロック機構２１の回動部材の延出方向（別の言い方をすれば回動部材２１１に対し回動軸部３２２に向かう方向）への力が作用するだけであるから、ロック機構２１の回動部材２１１に動作（回動）は生じないし、突出動作部３２にも動作（回動）は生じない。他方、ロック機構２１の回動部材２１１上の操作面３０Ｐに対しプッシュ操作がなされてロック部材２１１の第二係合部２６側の端部２１Ａが無線キー本体部３の内側へ押し込まれた場合には、鉤爪状係合受け部２５と鉤爪状係合部２６とにおける爪部同士の引っ掛かり係合が外れて、突出動作部３２の引っ掛け部３３を外部に露出させる突出動作が可能となる。
【００５２】
本実施形態のロック機構２１の回転軸部２１１は、回動部材２１１の両端部２１Ａ，２１Ｂに対する中間位置に、無線キー本体部３の厚み方向に延びる形で設けられる。回動部材２１１の両端部２１Ａ，２１Ｂのうち、突出動作部３２側の端部３２Ａ側で無線キー本体部３から露出する面が、無線キー本体部３の内向きにプッシュ操作可能な操作面３０Ｐとなっている。
【００５３】
本実施形態の回動部材２１１は、回転軸部２１２を、無線キー本体部３における内部側に位置させる形で回動自在に支持された板材であり、回転軸部２１２から遠い側の面２１０が無線キー本体部３の外周側面３０をなす。操作面３０Ｐは、外周側面３０をなす回動部材２１１の面２１０のうち、回転軸部２１２に対する端部２１Ｂ側の面である。
【００５４】
本実施形態の無線キー本体部３には、上記プッシュ操作によるロック機構２１の回動部材２１１の端部２１Ｂの無線キー本体部３内側への回動変位を許容するための回動変位許容空間２ＢＳが形成されている。この回動変位許容空間２ＢＳの、無線キー本体部３の内側に形成される壁部（壁面）２Ｓが、当該回動変位を所定角度位置までに規制する変位規制手段として機能する。
【００５５】
また、本実施形態の無線キー本体部３には、突出動作部３２の回動部材３２１の端部３２Ｂの無線キー本体部３内側への回動変位を許容するための回動変位許容空間３ＢＳが形成されている。この回動変位許容空間３ＢＳの、無線キー本体部３の内側に形成される壁部（壁面）３Ｓが、当該回動変位を所定角度位置までに規制する変位規制手段として機能する。これにより、引っ掛け部３３が形成される逆側の端部３２Ａの突出量を一定とすることができ、引っ掛け部３３を引っ掛けに適する突出量だけ突出させることを可能とし、過剰な突出を防止している。
【００５６】
本実施形態の突出動作部３２には、回動部材３２１のロック機構２１から遠い端部３２Ａ側に軸挿通孔部３２Ｄが形成されている。この軸挿通孔部３２Ｄには、無線キー本体部３の外周端部からその厚み方向に突出する円筒状の回転軸部３２２が挿通され、その円筒状の回転軸部３２２の先端部への熱カシメにより、軸挿通孔部３２Ｄ（突出動作部３２）が回転軸部３２２に対し着脱不能で、なおかつ回転自在（ここでは摺動回転可能）となるように平ワッシャを介して取り付けられている。
【００５７】
本実施形態の突出動作部３２には、回動部材３２１の端部３２Ｂの、係合受け部２５よりも端部３２Ａ側の位置に、無線キー本体部３の内側から外側に窪んだ凹部が形成されており、この凹部が引っ掛け部３３として形成されている。また、本実施形態においては、突出動作部３２の回動部材３２１が、無線キー本体部３の外周側面３０に１つの角部をまたぐ形で形成されたＬ字型の開口３０Ｍのうち、Ｌ字の長手側開口部３０Ｍ１を塞ぐ形で設けられる。突出動作部３２の操作面３０Ｐがプッシュ操作されると、突出動作部３２の回動部材３２１におけるロック機構２１側の端部３２Ｂが、無線キー本体部３の外側へと浮き上がることが可能となり、引っ掛け部３３をなす凹部の、無線キー本体部３の内側を向く両側先端面３３ａ，３３ａが無線キー本体部３の開口３０Ｍ１の外縁位置に到達する。これにより、引っ掛け部３３に何かを引っ掛けた時に、その引っ掛けたものが、突出動作部３２の内側（無線キー本体部３側）と、それに対向する無線キー本体部３の外周側面とで取り囲まれた空間に保持される形となり、外れ難い。なお、Ｌ字の短手側開口３０Ｍ２は、ロック機構２１の回動部材２１１によって塞がれ形で設けられる。
【００５８】
本実施形態の無線キー本体部３の突出動作部３２は、略直方体形状の筐体形状をなす無線キー本体部３の、略長方形状の主面に対する短辺側の端部に設けられており、さらにいえば、エマージェンシーキー２の取り出し方向とは逆側の端部に形成されている。他方、ロック機構２１は、無線キー本体部３の両長辺側のうち、エマージェンシーキー２の収容部３１が設けられた側の端部の、上記突出動作部３２側に形成されている。
【００５９】
また、突出動作部３２に対し突出動作をさせるプッシュ操作により、略直方体形状の筐体形状をなす無線キー本体部３の形状は、ロック機構２１の回動動作（揺動動作）によって、突起の生じた形状となるが、プッシュ操作が解除されれば、付勢手段２７の付勢力によって元の形状に戻るため、ロック機構２１への操作によって、携帯型無線キー１の全体のデザイン性が損なわれるような状態となることはない。
【００６０】
上記した第一及び第二の携帯型無線キー１においては、無線キー本体部３内にエマージェンシーキー２を収容した状態において外部に露出して常時使用可能なメインの引っ掛け部（第一の引っ掛け部）２Ｃと、無線キー本体部３内に収容可能なサブの引っ掛け部（第二の引っ掛け部）３３とを有する。サブの引っ掛け部３３については、不要な際には、キー１の全体の外観を乱すことの無い形で、無線キー本体部３内に収容しておくことができ、必要な際には、ワンプッシュ操作により外部に露出する突出動作して、容易に使用可能な状態とすることができる。
【００６１】
なお、上記第一実施形態においても、第二実施形態と同様のロック機構が設けられているが、第二実施形態のように、突出動作部３２の突出動作とは無関係に設けられているため、説明を省略している。
【００６２】
以上、本発明の一実施形態を説明したが、これらはあくまで例示にすぎず、本発明はこれらに限定されるものではなく、特許請求の範囲の趣旨を逸脱しない限りにおいて種々の変更が可能である。
【００６３】
例えば、第二実施形態において、突出動作部３２の係合受け部２５を引っ掛け部３３とするような構成でもよい。この場合、第二実施形態における引っ掛け部３３は不要となり、係合受け部２５に引っ掛け部３３が兼用される構成となる。
【符号の説明】
【００６４】
１  携帯型無線キー
２  エマージェンシーキー
２Ａ  キープレート部
２Ｂ  キー把持部
２Ｃ  吊環部（第一の引っ掛け部）
３  無線キー本体部
３０  無線キー本体部の外周側面
３０Ｐ  操作面
３２  突出動作部
３２１  回動部材
３２２  回動軸部
３３  引っ掛け部（第二の引っ掛け部）
３４  係合受け部
３５  係合部
２１  ロック機構
２１１  回動部材
２１２  回動軸部
２２  ロック解除操作部
２３  係合受け部
２４  第一係合部
２５  係合受け部
２６  第二係合部
２７  付勢手段
【図１】
0005168602.tif 000002
【図２】
0005168602.tif 000003
【図３】
0005168602.tif 000004
【図４】
0005168602.tif 000005
【図５】
0005168602.tif 000006